(57)【要約】【課題】避難タワー同士の連結強度を向上可能とし、増設可能状態で既設の避難タワーから外部に露出する増設用部材の突出量を減少させた場合であっても、増設後の避難タワー同士の連結強度を維持可能とする避難タワー複合体を提供する。【解決手段】第１避難タワーの主柱材と第２避難タワーの大梁との間に連結部材が配置され、連結部材が、主柱材の周囲に配置される本体部と、該本体部から第２避難タワーの大梁に向かって突出すると共に平面視で本体部から第２避難タワーの大梁に向かうに従って先細るように形成された連結部とを有し、本体部には主柱材に対応して貫通する主柱材取付孔が形成されており、第１避難タワーの主柱材が本体部の主柱材取付孔に挿入され、かつ連結部と第２避難タワーの大梁の長手方向端部とが突き合わされた状態で接合されて、第１避難タワーと第２避難タワーとが連結される構成となっている、避難タワー複合体。【選択図】図１０
2015145572.tif 000002
【特許請求の範囲】
【請求項１】
水平方向に隣接する第１避難タワー及び第２避難タワーを備え、
前記第１避難タワーが、その基礎から上方に延びる主柱材を有し、
前記第２避難タワーが、前記第１避難タワーに向かって水平方向に延びる大梁を有している、避難タワー複合体であって、
前記第１避難タワーの主柱材と前記第２避難タワーの大梁の長手方向端部との間に連結部材が配置され、
前記連結部材が、前記主柱材の周囲に配置される本体部と、前記本体部から前記第２避難タワーの大梁に向かって突出すると共に平面視で前記本体部から前記第２避難タワーの大梁に向かうに従って先細るように形成された連結部とを有し、
前記連結部材の本体部には、前記主柱材に対応して貫通する主柱材取付孔が形成されており、
前記第１避難タワーの主柱材が前記連結部材の本体部の主柱材取付孔に挿入され、かつ前記連結部材の連結部と前記第２避難タワーの大梁の長手方向端部とが突き合わされた状態で接合されて、前記第１避難タワーと前記第２避難タワーとが連結される構成となっている、避難タワー複合体。
【請求項２】
前記主柱材が円形状の横断面を有するように形成され、
前記連結部材の連結部と前記第２避難タワーの大梁の長手方向端部とが板状の継手部材によって接合され、
前記継手部材が、前記連結部材の連結部及び前記第２避難タワーの大梁の長手方向端部間にて連なる面に配置されると共に接合されており、
前記継手部材の水平方向の幅が、前記第２避難タワーの大梁の長手方向端部から前記連結部材の連結部に向かうに従って増加している、請求項１に記載の避難タワー複合体。
【請求項３】
前記第１避難タワーが、前記第２避難タワーに接すると共に互いに水平方向に間隔を空けて位置する２つの前記主柱材と、前記２つの主柱材を連結するように水平方向に延びると共に互いに上下方向に間隔を空けて配置された複数の大梁とを有し、
前記隣り合う大梁間で傾斜して延びるブレースが配置され、前記ブレースの両端部のそれぞれが、上下方向で隣り合う前記第１避難タワーの大梁に取付けられている、請求項１又は２に記載の避難タワー複合体。
【請求項４】
前記第１避難タワー及び前記第２避難タワーが、前記主柱材の上端部に対応して配置される第１段踊り場と、前記第１段踊り場に対して下方に間隔を空けて配置される第２段踊り場とを有し、
前記第１段踊り場の床面が、その下方で水平方向に延びる小梁によって支持され、
前記第１段踊り場と前記第２段踊り場との間で前記小梁の長手方向に沿ってレール部材が配置され、
前記レール部材が前記小梁の下端部に取付けられている、請求項１〜３のいずれか一項に記載の避難タワー複合体。
【発明の詳細な説明】
【技術分野】
【０００１】
本発明は、水平方向に隣接すると共に互いに連結される第１避難タワー及び第２避難タワーを備えた避難タワー複合体に関する。
【背景技術】
【０００２】
海に面した沿岸地域には、津波等の発生時に住民等を避難させるための避難タワーが設置されており、このような避難タワーの設置数は増加する傾向にある。実際に津波等が発生した場合、住民等は、避難タワーの頂上に設けられた踊り場に避難することとなる。ここで、避難タワーに避難する住民等の数が増加することが予測される場合、その住民等の数に応じて踊り場の面積を拡大することが要求される。このような要求に応じる際には、水平方向に並んだ状態で互いに連結される複数の避難タワーから構成された避難タワー複合体が用いられており、多くの場合、避難タワー複合体は既設の避難タワーに追加の避難タワーを増設可能な構造を有している。
【０００３】
避難タワー複合体の一例としては、次のようなものが存在する。避難タワー複合体が、水平方向に隣接する第１避難タワー及び第２避難タワーを備え、第１避難タワーに、その基礎から上方に延びる主柱材が設けられ、この主柱材から水平方向に突出する仕口梁が設けられ、また、第２避難タワーには、第１避難タワーの仕口梁に向かって水平方向に突出する大梁が設けられている。
【０００４】
このような避難タワー複合体において、例えば、避難タワー同士は次のような構造を用いて連結されている。第１避難タワーの主柱材（支柱）及び仕口梁（連結梁の基部）が、主柱材の外周に沿って配置された連結部材（連結リング）を用いて接合され、第１避難タワーの仕口梁の先端部と第２避難タワーの大梁（連結梁の梁部）の長手方向端部とが突き合わされた状態で、仕口梁と大梁とが、長方形状の板材から成る継手部材（連結板）を用いて接合されている。（例えば、特許文献１、特に、段落番号［００２３］及び図１２を参照。）
【０００５】
また、一般的に、避難タワー複合体の強度を考慮して、第１避難タワーの仕口梁と第２避難タワーの大梁との突き合わせ部の位置が定められて、第１避難タワーの仕口梁の突出量もまた定められている。このような避難タワー複合体を、第２避難タワーを後で設置できるようにしながら第１避難タワーを先に設置した状態（以下、「増設可能状態」という）とした場合、第１避難タワーの仕口梁が増設用部材として外部に露出することとなる。
【先行技術文献】
【特許文献】
【０００６】
【特許文献１】特開２００５−２６１９０４号公報
【発明の概要】
【発明が解決しようとする課題】
【０００７】
しかしながら、上述のような避難タワー複合体では、別体である第１避難タワー及び第２避難タワーが連結されているので、このような第１避難タワー及び第２避難タワーの連結強度が低くなる傾向にある。そのため、第１避難タワー及び第２避難タワーの連結強度を向上させることが望まれている。
【０００８】
また、避難タワー複合体の増設可能状態は長期間に渡って維持されることがあるので、外観上の観点から、増設可能状態にて外部に露出する増設用部材の突出量を減少させることが望ましい。しかしながら、増設用部材の突出量を減少させた場合、増設後の第１避難タワー及び第２避難タワーの連結強度が低下するという問題がある。そこで、増設用部材の突出量を減少させた場合であっても、増設後の第１避難タワー及び第２避難タワーの連結強度を維持することが望まれている。
【０００９】
そこで、本発明の目的は、避難タワー同士の連結強度を向上可能とし、増設可能状態で既設の避難タワーから外部に露出する増設用部材の突出量を減少させた場合であっても、増設後の避難タワー同士の連結強度を維持可能とする避難タワー複合体を提供することにある。
【課題を解決するための手段】
【００１０】
課題を解決するために、本発明の一態様に係る避難タワー複合体は、水平方向に隣接する第１避難タワー及び第２避難タワーを備え、前記第１避難タワーが、その基礎から上方に延びる主柱材を有し、前記第２避難タワーが、前記第１避難タワーに向かって水平方向に延びる大梁を有している、避難タワー複合体であって、前記第１避難タワーの主柱材と前記第２避難タワーの大梁の長手方向端部との間に連結部材が配置され、前記連結部材が、前記主柱材の周囲に配置される本体部と、前記本体部から前記第２避難タワーの大梁に向かって突出すると共に平面視で前記本体部から前記第２避難タワーの大梁に向かうに従って先細るように形成された連結部とを有し、前記連結部材の本体部には、前記主柱材に対応して貫通する主柱材取付孔が形成されており、前記第１避難タワーの主柱材が前記連結部材の本体部の主柱材取付孔に挿入され、かつ前記連結部材の連結部と前記第２避難タワーの大梁の長手方向端部とが突き合わされた状態で接合されて、前記第１避難タワーと前記第２避難タワーとが連結される構成となっている。そのため、第１避難タワーの主柱材と第２避難タワーの大梁の長手方向端部とを連結する連結部材が、上述した形状の連結部によって高い剛性を有しているので、このような連結部材によって、第１避難タワー及び第２避難タワーの連結強度を向上させることができる。また、増設可能状態で第１避難タワーから外部に露出する連結部材の突出量を減少させた結果、連結部材の連結部と第２避難タワーの大梁の長手方向端部との突き合わせ位置が第１避難タワーの主柱材に接近した場合であっても、連結部材によって、増設後の第１避難タワー及び第２避難タワーの連結強度を維持することができる。
【００１１】
本発明の一態様に係る避難タワー複合体では、前記主柱材が円形状の横断面を有するように形成され、前記連結部材の連結部と前記第２避難タワーの大梁の長手方向端部とが板状の継手部材によって接合され、前記継手部材が、前記連結部材の連結部及び前記第２避難タワーの大梁の長手方向端部間にて連なる面に配置されると共に接合されており、前記継手部材の水平方向の幅が、前記第２避難タワーの大梁の長手方向端部から前記連結部材の連結部に向かうに従って増加している。そのため、高い剛性を有する継手部材によって、第１避難タワー及び第２避難タワーの連結強度を向上させることができる。また、上述のように連結部材の突出量を減少させた場合であっても、継手部材によって、第１避難タワー及び第２避難タワーの連結強度を維持することができる。
【００１２】
本発明の一態様に係る避難タワー複合体では、前記第１避難タワーが、前記第２避難タワーに接すると共に互いに水平方向に間隔を空けて位置する２つの前記主柱材と、前記２つの主柱材を連結するように水平方向に延びると共に互いに上下方向に間隔を空けて配置された複数の大梁とを有し、前記隣り合う大梁間で傾斜して延びるブレースが配置され、前記ブレースの両端部のそれぞれが、上下方向で隣り合う前記第１避難タワーの大梁に取付けられている。そのため、上述したブレースによって、第１避難タワー及び第２避難タワーの連結領域近傍で第１避難タワーの強度が増加するので、第１避難タワー及び第２避難タワーの連結強度を向上させることができる。また、上述のように連結部材の突出量を減少させた場合であっても、ブレースによって、第１避難タワー及び第２避難タワーの連結強度を維持することができる。
【００１３】
本発明の一態様に係る避難タワー複合体では、前記第１避難タワー及び前記第２避難タワーが、前記主柱材の上端部に対応して配置される第１段踊り場と、前記第１段踊り場に対して下方に間隔を空けて配置される第２段踊り場とを有し、前記第１段踊り場の床面が、その下方で水平方向に延びる小梁によって支持され、前記第１段踊り場と前記第２段踊り場との間で前記小梁の長手方向に沿ってレール部材が配置され、前記レール部材が前記小梁の下端部に取付けられている。そのため、上述したレール部材によって、第１避難タワー及び第２避難タワーの少なくとも一方における強度が増加して、さらには、第１避難タワー及び第２避難タワーの連結強度を向上させることができる。付随的効果として、レール部材は、第２段踊り場上に避難している住民等により把持される手摺りとして用いることができる。よって、第２段踊り場上に手摺りを配置しながら、このような手摺りとして構成されたレール部材によって、第１避難タワー及び第２避難タワーの連結強度を向上させることができる。
【発明の効果】
【００１４】
本発明の一態様に係る避難タワー複合体によれば、隣接する避難タワー同士の連結強度を向上させることができ、増設可能状態で既設の避難タワーから外部に露出する増設用部材の突出量を減少させた場合であっても、増設後の避難タワー同士の連結強度を維持することができる。
【図面の簡単な説明】
【００１５】
【図１】本発明の第１実施形態に係る避難タワー複合体を概略的に示す正面図である。
【図２】本発明の第１実施形態に係る避難タワー複合体を概略的に示す平面図である。
【図３】図１のＡ−Ａ断面図である。
【図４】図１のＢ部拡大図である。
【図５】図４の矢印Ｗから見た図である。
【図６】図１の矢印Ｃから見た図である。
【図７】図１のＤ部拡大図である。
【図８】図７の矢印Ｘから見た図である。
【図９】図１のＥ部拡大図である。
【図１０】図９のＹ−Ｙ断面図である。
【図１１】本発明の第２実施形態に係る避難タワー複合体を概略的に示す正面図である。
【図１２】本発明の第２実施形態に係る避難タワー複合体を概略的に示す平面図である。
【発明を実施するための形態】
【００１６】
［第１実施形態］
本発明の第１実施形態に係る避難タワー複合体について以下に説明する。図１及び図２に示すように、避難タワー複合体は第１避難タワー１と第２避難タワー２とを有している。第１避難タワー１及び第２避難タワー２は、水平方向にて互いに隣接するように配置されている。これらの第１避難タワー１及び第２避難タワー２は、後述するように互いに連結されている。
【００１７】
図１及び図２に示すように、第１避難タワー１及び第２避難タワー２のそれぞれは第１段踊り場３，４を有している。第１段踊り場３，４のそれぞれは、第１避難タワー１及び第２避難タワー２の上端領域に配置されている。第１避難タワー１及び第２避難タワー２の第１段踊り場３，４は、第１避難タワー１から第２避難タワー２に向かう方向（以下、「タワー連結方向」という）に並ぶと共に上下方向の同位置に配置されて、１つのフロアを形成している。図２に示すように、第１避難タワー１及び第２避難タワー２の第１段踊り場３，４のそれぞれは平面視略四角形状に形成されている。
【００１８】
図１に示すように、第１避難タワー１及び第２避難タワー２のそれぞれは第２段踊り場５，６を有している。第２段踊り場５，６のそれぞれは、第１避難タワー１及び第２避難タワー２の第１段踊り場３，４の下方に間隔を空けて配置されている。第１避難タワー１及び第２避難タワー２の第２段踊り場５，６は、タワー連結方向に並ぶと共に上下方向の同位置に配置されて、１つのフロアを形成している。特に図示はしないが、第１避難タワー１及び第２避難タワー２の第２段踊り場５，６のそれぞれは、その第１段踊り場３，４に対応して平面視略四角形状に形成されている。また、特に図示はしないが、避難タワー複合体には階段が設置されており、住民等は、このような階段を上ることによって、第２段踊り場５，６を経由して第１段踊り場３，４に避難できるようになっている。
【００１９】
「第１避難タワー１の基本的な構成について」
図１〜図５及び図１０を参照して、第１避難タワー１の基本的な構成について説明する。図２に示すように、第１避難タワー１は４つの主柱材７を有している。第１避難タワー１における４つの主柱材７のそれぞれは、平面視略四角形状の第１段踊り場３における４つの角部に配置されている。そのため、４つの主柱材７は水平方向に間隔を空けて位置することとなる。特に図１、図３、及び図６に示すように、主柱材７は基礎７ａから上方に延びるように構成されている。特に図１０に示すように、主柱材７は略円形状の横断面を有するように形成されている。
【００２０】
特に図１及び図３に示すように、第１避難タワー１は、２つの第１段連結部材８ａ、２つの第２段連結部材８ｂ、２つの第３段連結部材８ｃ、及び２つの第４段連結部材８ｄを有している。第１段連結部材８ａ〜第４段連結部材８ｄは、タワー連結方向の第２避難タワー２に連結される側（以下、「タワー連結側」という）の側面領域に位置する主柱材７に取付けられている。これらの連結部材８ａ〜８ｄは、上方から下方に向かって第１段連結部材８ａ、第２段連結部材８ｂ、第３段連結部材８ｃ、及び第４段連結部材８ｄの順に配置されている。第１段連結部材８ａは、第１避難タワー１の主柱材７の上端部に位置しており、第１段連結部材８ａ〜第４段連結部材８ｄは、上下方向に互いに間隔を空けて位置している。なお、第１段連結部材８ａ〜第４段連結部材８ｄのさらなる詳細については後述する。
【００２１】
図１及び図３に示すように、第１避難タワー１は、第１段連結部材８ａ、第２段連結部材８ｂ、第３段連結部材８ｃ、及び第４段連結部材８ｄのそれぞれから突出する２つの第１段仕口梁９ａ、２つの第２段仕口梁９ｂ、２つの第３段仕口梁９ｃ、及び２つの第４段仕口梁９ｄを有している。このような第１段仕口梁９ａ〜第４段仕口梁９ｄはＨ鋼から構成されている。
【００２２】
図１に示すように、２つの第１段仕口梁９ａ〜２つの第４段仕口梁９ｄのうち一方は、第１避難タワー１におけるタワー連結方向に直交する方向（以下、「タワー幅方向」という）の側面領域に配置されている。図３に示すように、２つの第１段仕口梁９ａ〜２つの第４段仕口梁９ｄのうちもう一方は、第１避難タワー１のタワー連結側の側面領域に配置されている。
【００２３】
特に図１〜図５に示すように、第１避難タワー１は、その４つの側面領域に配置される第１段大梁１０ａ、第２段大梁１０ｂ、第３段大梁１０ｃ、及び第４段大梁１０ｄを有している。これらの大梁１０ａ〜１０ｄは、上方から下方に向かって第１段大梁１０ａ、第２段大梁１０ｂ、第３段大梁１０ｃ、及び第４段大梁１０ｄの順に配置されている。このような第１段大梁１０ａ〜第４段大梁１０ｄはＨ鋼から構成されている。
【００２４】
図１に示すように、第１避難タワー１のタワー幅方向両側の側面領域では、第１段大梁１０ａ〜第４段大梁１０ｄのそれぞれにおける長手方向両端部の一方は、後述するように、第１段仕口梁９ａ〜第４段仕口梁９ｄの先端部に接合されている。本実施形態においては詳細を述べないが、第１避難タワー１のタワー幅方向両側の側面領域では、第１段大梁１０ａ〜第４段大梁１０ｄのそれぞれにおける長手方向両端部のもう一方は、タワー連結側とは反対側の主柱材７に連結されている。図３に示すように、第１避難タワー１のタワー連結側の側面領域では、第１段大梁１０ａ〜第４段大梁１０ｄのそれぞれにおける長手方向両端部のそれぞれは、後述するように、２つの第１段仕口梁９ａ〜２つの第４段仕口梁９ｄの先端部に接合されている。本実施形態においては詳細を述べず、かつ特に図示もしないが、第１避難タワー１のタワー連結側とは反対側の側面領域では、第１段大梁１０ａ〜第４段大梁１０ｄのそれぞれにおける長手方向両端部のそれぞれは、タワー連結側とは反対側の２つの主柱材７に連結されている。そのため、第１段大梁１０ａ〜第４段大梁１０ｄは、第１避難タワー１の外周に沿って隣接する主柱材７同士を連結するように配置されることとなる。
【００２５】
次に、図２に示すように、第１避難タワー１は２つの第１段小梁１１を有している。第１段小梁１１は、タワー連結方向にて互いに対向する２つの第１段大梁１０ａを連結している。２つの第１段小梁１１は、タワー幅方向にて互いに間隔を空けて配置されている。特に図示はしないが、第１避難タワー１は２つの第２段小梁を有している。第２段小梁は、タワー連結方向にて互いに対向する２つの第２段大梁１０ｂを連結している。２つの第２段小梁は、タワー幅方向にて互いに間隔を空けて配置されている。
【００２６】
図３に示すように、第１避難タワー１は、そのタワー連結側の側面領域における第１段大梁１０ａ及び第２段大梁１０ｂ間の空間（以下、「第１空間」という）、第２段大梁１０ｂ及び第３段大梁１０ｃ間の空間（以下、「第２空間」という）、第３段大梁１０ｃ及び第４段大梁１０ｄ間の空間（以下、「第３空間」という）、並びに第４段大梁１０ｄ下方の空間（以下、「第４空間」という）のそれぞれに配置される２つのブレース１２を有している。ブレース１２は略棒状に形成されている。第１空間〜第３空間のそれぞれには、上側の大梁１０ａ，１０ｂ，１０ｃの長手方向両端部のそれぞれから下方に突出する上側取付部１３が設けられ、下側の大梁１０ｂ，１０ｃ，１０ｄの長手方向中間部から上方に突出する下側取付部１４が設けられている。第１空間〜第３空間のそれぞれでは、２つのブレース１２における長手方向の一端部のそれぞれは、上側取付部１３に取付けられ、２つのブレース１２における長手方向のもう一端部のそれぞれは、下側取付部１４に取付けられている。そのため、第１空間〜第３空間のそれぞれでは、２つのブレース１２のそれぞれは、下方から上方に向かうに従って大梁１０ａ，１０ｂ，１０ｃ，１０ｄの長手方向中間部からその長手方向両端部に向かう方向に傾斜している。
【００２７】
図３に示すように、第４空間、すなわち、最下位の空間には、第４段大梁１０ｄの長手方向中間部から下方に突出する上側取付部１５が設けられ、２つの主柱材７における下端部のそれぞれから水平方向に突出する下側取付部１６が設けられている。第４空間では、２つのブレース１２における長手方向の一端部のそれぞれは、上側取付部１５に取付けられ、かつ２つのブレース１２における長手方向のもう一端部のそれぞれは、下側取付部１６に取付けられている。そのため、第４空間では、２つのブレース１２のそれぞれは、下方から上方に向かうに従って第４段大梁１０ｄの長手方向両端部から長手方向中間部に向かう方向に傾斜している。
【００２８】
図２に示すように、第１避難タワー１は、第１段踊り場３の床面を形成する床部材１７を有している。床部材１７は、上下方向に貫通する孔を有するように格子状に形成されている。床部材１７は、その下方に位置する第１段大梁１０ａ及び第１段小梁１１によって支持されている。特に図示はしないが、第１避難タワー１の第２段踊り場５の床面もまた床部材１７によって形成されている。この床部材１７は、その下方に位置する第２段大梁１０ｂ及び第２段小梁（図示せず）によって支持されている。
【００２９】
図４及び図５に示すように、第１避難タワー１はレール部材１８を有している。レール部材１８は、第１小梁１１の下端部に取付けられている。レール部材１８は、第１小梁１１の下端部から下方に突出するように形成されている。このようなレール部材１８は、第１踊り場３と第２踊り場５との間で第１小梁１１の長手方向に沿って配置されている。レール部材１８は、第１小梁１１の下端部から下方に突出するように略コ字形状に形成された外枠部１８ａを有している。また、レール部材１８は、その長手方向中間にて外枠部１８ａ及び第１小梁１１間を上下方向に延びる支持する複数の支持部１８ｂを有している。複数の支持部１８ｂは、レール部材１８の長手方向に互いに間隔を空けて配置されている。
【００３０】
「第２避難タワー２の基本的な構成について」
図１、図２、及び図６〜図８を参照して、第２避難タワー２の基本的な構成について説明する。図２に示すように、第２避難タワー２は２つの主柱材１９を有している。２つの主柱材１９のそれぞれは、タワー連結方向の第１避難タワー１に連結される側とは反対側（以下、「タワー連結反対側」という）に位置する２つの角部に配置されている。図１及び図６に示すように、主柱材１９は基礎１９ａから上方に延びるように構成されている。特に図示はしないが、第２避難タワー２の主柱材１９は、第１避難タワー１の主柱材７と同様に、略円形状の横断面を有するように形成されている。
【００３１】
特に図１、図２、及び図６に示すように、第２避難タワー２は、タワー幅方向両側の側面領域及びタワー連結反対側の側面領域のそれぞれに配置される第１段大梁２０ａ、第２段大梁２０ｂ、第３段大梁２０ｃ、及び第４段大梁２０ｄを有している。これらの大梁２０ａ〜２０ｄは、上方から下方に向かって第１段大梁２０ａ、第２段大梁２０ｂ、第３段大梁２０ｃ、及び第４段大梁２０ｄの順に配置されている。第２避難タワー２の第１段大梁２０ａ〜第４段大梁２０ｄのそれぞれは、上下方向にて、第１避難タワー１の第１段大梁１０ａ〜第４段大梁１０ｄに対応して位置している。このような第２避難タワー２の第１段大梁２０ａ〜第４段大梁２０ｄはＨ鋼から構成されている。
【００３２】
図１に示すように、第２避難タワー２のタワー幅方向両側の側面領域では、第２避難タワー２の第１段大梁２０ａ〜第４段大梁２０ｄのそれぞれにおける長手方向両端部の一方が、後述するように、第１段連結部材８ａ〜第４段連結部材８ｄに接合されている。本実施形態においては詳細を述べないが、第２避難タワー２のタワー幅方向両側の側面領域では、第１段大梁２０ａ〜第４段大梁２０ｄのそれぞれにおける長手方向両端部のもう一方が、第２避難タワー２の主柱材１９に連結されている。また、本実施形態においては詳細を述べないが、図６に示すように、第２避難タワー２のタワー連結反対側の側面領域では、第１段大梁２０ａ〜第４段大梁２０ｄのそれぞれにおける長手方向の両端部のそれぞれが、２つの主柱材１９に連結されている。
【００３３】
図２に示すように、第２避難タワー２は２つの第１段小梁２１を有している。第１段小梁２１は、タワー連結方向にて互いに対向する第１避難タワー１の第１段大梁１０ａ及び第２避難タワー２の第１段大梁２０ａを連結している。２つの第１段小梁２１は、タワー幅方向にて互いに間隔を空けて配置されている。特に図示はしないが、第２避難タワー２は２つの第２段小梁を有している。２つの第２段小梁は、タワー連結方向にて互いに対向する第１避難タワー１の第２段大梁１０ｂ及び第２避難タワー２の第２段大梁２０ｂを連結している。２つの第２段小梁は、タワー幅方向にて互いに間隔を空けて配置されている。
【００３４】
図２に示すように、第２避難タワー２の第１段踊り場４の床面は、第１避難タワー１と同様の床部材１７によって形成されている。この床部材１７は、その下方に位置する第１避難タワー１の第１段大梁１０ａと、第２避難タワー２の第１段大梁２０ａ及び第１段小梁２１とによって支持されている。特に図示はしないが、第２避難タワー２の第２段踊り場６の床面もまた床部材１７によって形成されている。この床部材１７は、その下方に位置する第１避難タワー１の第２段大梁１０ｂと、第２避難タワー２の第２段大梁２０ｂ及び第２段小梁（図示せず）とによって支持されている。
【００３５】
図７及び図８に示すように、第２避難タワー２は、第１避難タワー１と同様のレール部材１８を有している。レール部材１８は、第１小梁２１の下端部から下方に突出するように形成されている。このようなレール部材１８は、第１踊り場４と第２踊り場６との間で第１小梁２１の長手方向に沿って配置されている。
【００３６】
「第１避難タワー１の第１段連結部材８ａ〜第４連結部材８ｄの詳細について」
図９及び図１０を参照して、第１段連結部材８ａ〜第４連結部材８ｄの詳細を説明する。図９に示すように、第１段連結部材８ａは、上下方向に間隔を空けて配置された一対の本体部８ａ１を有している。図１０に示すように、本体部８ａ１は、主柱材７の周囲に配置され、かつ平面視で円形状に形成されている。本体部８ａ１には、第１避難タワー１の主柱材７に対応して貫通する主柱材取付孔８ａ２が形成されている。図９及び図１０に示すように、第１連結部材８ａは、一対の本体部８ａ１から第２避難タワー２の第１段大梁２０ａに向かって突出する連結部８ａ３を有している。連結部８ａ３は略Ｈ鋼状に形成されている。図１０に示すように、このような連結部８ａ３の上側フランジ及び下側フランジは、本体部８ａ１から第２避難タワー２の第１段大梁２０ａの長手方向端部に向かうに従って先細るように略台形状に形成されている。本実施形態では、連結部８ａ３の上側フランジ及び下側フランジにおける先端部の幅は、第１段大梁２０ａの長手方向端部の幅よりも大きくなっている。しかしながら、本発明はこれに限定されず、連結部８ａ３の上側フランジ及び下側フランジにおける先端部の幅は、第１段大梁２０ａの長手方向端部の幅と等しくなっていてもよい。図９に示すように、連結部８ａ３の上側フランジは、上側の本体部８ａ１に沿って配置されている。連結部８ａ３の下側フランジは、下側の本体部８ａ１に沿って配置されている。このような第１段連結部材８ａは、第１避難タワー１の主柱材７と第２避難タワー２の第１段大梁２０ａとの間に位置することとなる。
【００３７】
特に図示はしないが、第２段連結部材８ｂ〜第４段連結部材８ｄもまた第１段連結部材６ａと同様に構成されている。
【００３８】
「第１避難タワー１の主柱材７の仕口構造」
図９及び図１０を参照して、第１避難タワー１のタワー連結側の側面領域に位置する主柱材７の仕口構造の詳細を説明する。図９及び図１０に示すように、第１避難タワー１の主柱材７は、第１段連結部材８ａにおける一対の本体部８ａ１の主柱材取付孔８ａ２に挿入されており、このような状態にて、主柱材７と一対の本体部８ａ１とが接合されている。また、第１避難タワー１のタワー連結側の側面領域、及びタワー幅方向両側の側面領域のそれぞれにおいて、第１段仕口梁９ａの基端部は、主柱材７に当接すると共に、第１段連結部材８ａの一対の本体部８ａ１間に位置しており、このような状態にて、第１段連結部材８ａの一対の本体部８ａ１と第１段仕口梁９ａの基端部とが接合されている。
【００３９】
第１段仕口梁９ａの先端部と第１段大梁１０ａの端部とは付き合わされており、このような状態にて、第１段仕口梁９ａの先端部と第１段大梁１０ａの端部とが接合されている。具体的には、第１段仕口梁９ａの上側フランジと第１段大梁１０ａの上側フランジとが、表側継手部材２２ａ及び一対の裏側継手部材２２ｂによって接合されている。第１段仕口梁９ａの下側フランジと第１段大梁１０ａの下側フランジとが、上側フランジの接合と同様に、表側継手部材２２ａ及び一対の裏側継手部材２２ｂによって接合されている。第１段仕口梁９ａのウェブと第１段大梁１０ａのウェブとが、一対の側方継手部材２３によって接合されている。
【００４０】
第１段仕口梁９ａの先端部と第１段大梁１０ａの端部との接合について、さらに具体的に説明すると、表側継手部材２２ａは略四角形状に形成された板材から構成されている。一対の裏側継手部材２２ｂは、表側継手部材２２ａを２分割するように略四角形状に形成された板材から構成されている。第１段仕口梁９ａの上側フランジの上面と第１段大梁１０ａの上側フランジの上面とは連なっており、これらの連なった上面に跨って表側継手部材２２ａが配置されている。第１段仕口梁９ａの上側フランジにおける一対の下面と、第１段大梁１０ａの上側フランジにおける一対の下面とは連なっており、これらの連なった下面に跨って裏側継手部材２２ｂが配置されている。そのため、第１段仕口梁９ａの上側フランジ及び第１段大梁１０ａの上側フランジの組合せは、表側継手部材２２ａと一対の裏側継手部材２２ｂとの間に位置している。このような状態にて、ボルト及びナットの組合せ等から成る複数の締結手段Ｔによって、第１段仕口梁９ａの上側フランジ及び第１段大梁１０ａの上側フランジの組合せと、表側継手部材２２ａと、各裏側継手部材２２ｂとが共締めされている。
【００４１】
側方継手部材２３は略四角形状に形成された板材から構成されている。第１段仕口梁９ａのウェブの側面と第１段大梁１０ａのウェブの側面とは連なっており、これらの連なった側面に跨って側方継手部材２３が配置されている。そのため、第１段仕口梁９ａのウェブ及び第１段大梁１０ａのウェブの組合せは、一対の側方継手部材２３間に位置している。このような状態にて、ボルト及びナットの組合せ等から成る複数の締結手段Ｔによって、第１段仕口梁９ａのウェブ及び第１段大梁１０ａのウェブの組合せと、一対の側方継手部材２３とが共締めされている。
【００４２】
さらに、第２避難タワー２のタワー幅方向の側面領域にて、第１避難タワー１における第１段連結部材８ａの連結部８ａ３の先端部と、第２避難タワー２における第１段大梁２０ａの端部とが付き合わされて、このような状態にて、第１避難タワー１における第１段連結部材８ａの連結部８ａ３の先端部と、第２避難タワー２における第１段大梁２０ａの端部とが接合されている。具体的には、第１段連結部材８ａの連結部８ａ３の上側フランジと第１段大梁２０ａの上側フランジとが、連結用表側継手部材２４ａ及び一対の連結用裏側継手部材２４ｂによって接合されている。第１段連結部材８ａの連結部８ａ３の下側フランジと第１段大梁２０ａの下側フランジとが、上側フランジと同様に、連結用表側継手部材２４ａ及び一対の連結用裏側継手部材２４ｂによって接合されている。第１段連結部材８ａの連結部８ａ３のウェブと第１段大梁２０ａのウェブとが、一対の連結用側方継手部材２５によって接合されている。
【００４３】
第１避難タワー１における第１段連結部材８ａの連結部８ａ３の先端部と、第２避難タワー２における第１段大梁２０ａの端部との接合について、さらに具体的に説明すると、連結用表側継手部材２４ａは、その水平方向の幅を第２避難タワー２の第１段大梁２０ａの先端部から第１段連結部材８ａの連結部８ａ３に向かうに従って増加させるように形成されている。そのため、連結用表側継手部材２４ａの長手方向の一部は略台形状に形成されている。このような連結用表側継手部材２４ａの先端部の幅は、第１段大梁２０ａの長手方向端部の幅に対応していると好ましい。一対の連結用裏側継手部材２４ｂは、連結用表側継手部材２４ａを２分割するように形成された板材から構成されている。第１段連結部材８ａの連結部８ａ３における上側フランジの上面と、第１段大梁２０ａにおける上側フランジの上面とは連なっている。これらの連なった上面に跨って連結用表側継手部材２４ａが配置されている。第１段連結部材８ａの連結部８ａ３の上側フランジにおける一対の下面と、第１段大梁２０ａの上側フランジにおける一対の下面とは連なっており、これらの連なった下面に跨って連結用裏側継手部材２４ｂが配置されている。そのため、第１段連結部材８ａの連結部８ａ３の上側フランジ及び第１段大梁２０ａの上側フランジの組合せは、連結用表側継手部材２４ａと一対の連結用裏側継手部材２４ｂとの間に位置している。このような状態にて、ボルト及びナットの組合せ等から成る複数の締結手段Ｔによって、第１段連結部材８ａの連結部８ａ３の上側フランジ及び第１段大梁２０ａの上側フランジの組合せと、連結用表側継手部材２４ａと、各連結用裏側継手部材２４ｂとが共締めされている。
【００４４】
連結用側方継手部材２５は略四角形状に形成された板材から構成されている。第１段連結部材８ａの連結部８ａ３のウェブの側面と第１段大梁２０ａのウェブの側面とは連なっており、これらの連なった側面に跨って連結用側方継手部材２５が配置されている。そのため、第１段連結部材８ａの連結部８ａ３のウェブ及び第１段大梁２０ａのウェブの組合せは、一対の連結用側方継手部材２５間に位置している。このような状態にて、ボルト及びナットの組合せ等から成る複数の締結手段Ｔによって、第１段連結部材８ａの連結部８ａ３のウェブ及び第１段大梁２０ａのウェブの組合せと、一対の連結用側方継手部材２５とが共締めされている。
【００４５】
特に図示はしないが、第２段連結部材８ｂ〜第４段連結部材８ｄ及びその周辺における仕口構造もまた、上述した第１段連結部材８ａ及びその周辺における仕口構造と同様に構成されている。このような構成によって、第１避難タワー１及び第２避難タワー２は連結されている。
【００４６】
なお、本実施形態に係る避難タワー複合体は、第２避難タワー２を後で設置できるようにしながら第１避難タワー１を先に設置した状態（以下、「増設可能状態」という）にすることができる。このような状態では、第１段連結部材８ａの連結部８ａ３〜第４段連結部材８ｄの連結部（図示せず）は、第１避難タワー１から外部に露出することとなる。
【００４７】
以上のような本実施形態によれば、第１避難タワー１の主柱材７と第２避難タワー２の大梁２０ａ〜２０ｄの長手方向端部との間に連結部材８ａ〜８ｄが配置され、連結部材８ａ〜８ｄが、平面視で円形状に形成された本体部と、この本体部から第２避難タワー２の大梁２０ａ〜２０ｄに向かって突出すると共に平面視で本体部から第２避難タワー２の大梁２０ａ〜２０ｄに向かうに従って先細るように形成された連結部とを有し、連結部材８ａ〜８ｄの本体部には、第１避難タワー１の主柱材７に対応して貫通する主柱材取付孔が形成されており、第１避難タワー１の主柱材７が連結部材８ａ〜８ｄの本体部の主柱材取付孔に挿入され、かつ連結部材８ａ〜８ｄの連結部と第２避難タワー２の大梁２０ａ〜２０ｄの長手方向端部とが突き合わされた状態で接合されて、第１避難タワー１と第２避難タワー２とが連結される構成となっている。そのため、第１避難タワー１の主柱材７と第２避難タワー２の大梁２０ａ〜２０ｄの長手方向端部とを連結する連結部材８ａ〜８ｄが、上述した形状の連結部によって高い剛性を有しているので、このような連結部材８ａ〜８ｄによって、第１避難タワー１及び第２避難タワー２の連結強度を向上させることができる。また、増設可能状態で第１避難タワー１から外部に露出する連結部材８ａ〜８ｄの突出量を減少させた結果、連結部材８ａ〜８ｄの連結部と第２避難タワー２の大梁２０ａ〜２０ｄの長手方向端部との突き合わせ位置が第１避難タワー１の主柱材７に接近した場合であっても、連結部材８ａ〜８ｄによって、増設後の第１避難タワー１及び第２避難タワー２の連結強度を維持することができる。
【００４８】
本実施形態によれば、第１避難タワー１の主柱材７が円形状の横断面を有するように形成され、連結部材８ａ〜８ｄの連結部と第２避難タワー２の大梁２０ａ〜２０ｄの長手方向端部とが連結用表側継手部材及び連結用裏側継手部材によって接合され、連結用表側継手部材及び連結用裏側継手部材が、連結部材８ａ〜８ｄの連結部及び第２避難タワー２の大梁２０ａ〜２０ｄの長手方向端部間にて連なる面に配置されると共に接合されており、連結用表側継手部材及び連結用裏側継手部材の水平方向の幅が、第２避難タワー２の大梁２０ａ〜２０ｄの長手方向端部から連結部材８ａ〜８ｄの連結部に向かうに従って増加している。そのため、高い剛性を有する連結用表側継手部材及び連結用裏側継手部材によって、第１避難タワー１及び第２避難タワー２の連結強度を向上させることができる。また、上述のように連結部材８ａ〜８ｄの突出量を減少させた場合であっても、連結用表側継手部材及び連結用裏側継手部材によって、第１避難タワー１及び第２避難タワー２の連結強度を維持することができる。
【００４９】
本実施形態によれば、第１避難タワー１が、タワー連結側の２つの主柱材７と、２つの主柱材７を連結するように水平方向に延びると共に互いに上下方向に間隔を空けて配置された複数の大梁１０ａ〜１０ｄとを有し、隣り合う大梁１０ａ〜１０ｄ間で傾斜して延びるブレース１２が配置され、ブレース１２の両端部のそれぞれが、上下方向で隣り合う第１避難タワー１の大梁１０ａ〜１０ｄに取付けられている。そのため、上述したブレース１２によって、第１避難タワー１及び第２避難タワー２の連結領域近傍で第１避難タワー１の強度が増加するので、第１避難タワー１及び第２避難タワー２の連結強度を向上させることができる。なお、付随的な効果として、ブレース１２は第１避難タワー１と第２避難タワー２との間で隠れるように配置されているので、ブレース１２によって避難タワー複合体の外観が煩雑な印象となることを防止できる。また、上述のように連結部材８ａ〜８ｄの突出量を減少させた場合であっても、ブレース１２によって、第１避難タワー１及び第２避難タワー２の連結強度を維持することができる。
【００５０】
本実施形態によれば、第１避難タワー１及び第２避難タワー２が、各主柱材７，１９の上端部に対応して配置される第１段踊り場３，４と、第１段踊り場３，４に対して下方に間隔を空けて配置される第２段踊り場５，６とを有し、第１段踊り場の床面３，４が、その下方で水平方向に延びる小梁１１，２１によって支持され、第１段踊り場３，４と第２段踊り場５，６との間で小梁１１，２１の長手方向に沿ってレール部材１８が配置され、レール部材１８が小梁１１，２１の下端部に取付けられている。そのため、上述したレール部材１８によって、第１避難タワー１及び第２避難タワー２の強度が増加して、さらには、第１避難タワー１及び第２避難タワー２の連結強度を向上させることができる。付随的効果として、レール部材１８は、第２段踊り場５，６上に避難している住民等により把持される手摺りとして用いることができる。よって、第２段踊り場５，６上に手摺りを配置しながら、このような手摺りとして構成されたレール部材１８によって、第１避難タワー１及び第２避難タワー２の連結強度を向上させることができる。
【００５１】
［第２実施形態］
本発明の第２実施形態に係る避難タワー複合体について以下に説明する。図１１及び図１２に示すように、避難タワー複合体は第１避難タワー３１と第２避難タワー３２と第３避難タワー３３とを有している。第１避難タワー３１〜第３避難タワー３３は、水平方向にて並んで配置されている。第２避難タワー３２が、第１避難タワー３１と第３避難タワー３３との間に位置している。このような位置関係において、第１避難タワー３１と第２避難タワー３２とが互いに連結され、第２避難タワー３２と第３避難タワー３３とが互いに連結されている。
【００５２】
第１避難タワー３１は、第１実施形態の第１避難タワー１と同様に構成されている。第２避難タワー３２においては、第１避難タワー３１側の領域が第１実施形態の第２避難タワー２と同様に構成され、第３避難タワー３３側の領域が第１実施形態の第１避難タワー１と同様に構成されている。第３避難タワー３３は、第１実施形態の第２避難タワー２と同様に構成されている。
【００５３】
第１避難タワー３１及び第２避難タワー３２の連結構造と、第２避難タワー３２及び第３避難タワー３３の連結構造とは、第１実施形態の第１避難タワー１及び第２避難タワー２の連結構造と同様になっている。
【００５４】
以上のような本実施形態によれば、第１実施形態と同様の効果が得られる。
【００５５】
ここまで本発明の実施形態について述べたが、本発明は上述した実施形態に限定されるものではない。本発明は、その技術的思想に基づいて変形かつ変更可能である。
【００５６】
例えば、本発明の第１変形例として、第２実施形態において、避難タワー複合体が３つの避難タワーを有しているが、避難タワー複合体が４つ以上の避難タワーを有していてもよい。この場合、４つ以上の避難タワーが第２実施形態と同様の位置関係で配置され、かつ隣接する避難タワーが第２実施形態と同様の連結構造によって連結されているとよい。
【００５７】
本発明の第２変形例として、第１実施形態及び第２実施形態において、主柱材７，１９が略円形状の横断面を有するように形成されているが、主柱材７，１９が、円形状以外の形状、例えば、楕円形状、多角形状等の横断面を有するように形成されていてもよい。
【００５８】
本発明の第３変形例として、第１実施形態及び第２実施形態において、各避難タワーが第１段大梁〜第４段大梁を有するものとなっているが、各避難タワーは第１段〜第ｉ段大梁を有することができる。この場合、ｉは２以上の整数とする。
【００５９】
本発明の第４変形例として、第１実施形態及び第２実施形態において、各避難タワーが２つの第１段小梁及び２つの第２段小梁を有するものとなっているが、各避難タワーはｊ個の第１段小梁及びｋ個の第２段小梁を有することができる。この場合、ｊ及びｋは１以上の整数とする。
【００６０】
本発明の第５変形例として、第１実施形態及び第２実施形態において、第１段小梁及び第２段小梁がタワー連結方向に沿って位置しているが、第１段小梁及び第２段小梁の少なくとも一方がタワー幅方向に沿って位置していてもよい。
【００６１】
本発明の第６変形例として、第１実施形態及び第２実施形態において、床部材１７が格子状に形成されているが、床部材１７がパネル状に形成されていてもよい。
【００６２】
本発明の第７変形例として、第１実施形態及び第２実施形態において、第１段連結部材８ａ〜第４段連結部材８ｄの本体部は平面視で円形状に形成されているが、このような本体部は平面視で円形状以外の形状、例えば、楕円形状、多角形状等に形成されていてもよい。
【００６３】
［実施例］
本発明の実施例について説明する。実施例は、第１実施形態における第２避難タワー２のタワー幅方向の側面領域に関する。第２避難タワー２のタワー幅方向の側面領域では、第１段連結部材８ａと第１段大梁２０ａとを連結した要素の長手方向両端部のそれぞれが、第１避難タワー１の主柱材７と第２避難タワー２の主柱材１９とに固定されている。このような構造において、第１避難タワー１における第１段連結部材８ａの連結部８ａ３と第２避難タワーにおける第１段大梁２０ａとの突き合わせ部が、第１避難タワー１の主柱材７の中心から３３０ｍｍ離れた位置に設定されている。この場合、実施例における第１段連結部材８ａの連結部８ａ３の突出量は、第１避難タワー１の主柱材７の中心から３３０ｍｍとなる。
【００６４】
［比較例］
本発明の比較例について説明する。比較例は、第１実施形態における第１避難タワー１のタワー幅方向の側面領域に関する。第１避難タワー１のタワー幅方向の側面領域では、第１段仕口梁９ａと第１段大梁１０ａとを連結した要素の長手方向両端部のそれぞれが、第１避難タワー１の２つの主柱材７に固定されている。比較例の第１段大梁１０ａは、実施例の第１段大梁２０ａと同様の横断面を有している。また、比較例における第１避難タワー１の２つの主柱材７間の距離は、実施例における第１避難タワー１の主柱材７及び第２避難タワー２の主柱材１９間の距離と同様になっている。このような構造において、第１避難タワー１における第１段仕口梁９ａの先端部と第１避難タワー１における第１段大梁１０ａの先端部との突き合わせ部が、第１避難タワー１の主柱材７の中心から１０００ｍｍ離れた位置に設定されている。この場合、比較例における第１段仕口梁９ａの突出量は、第１避難タワー１の主柱材７の中心から１０００ｍｍとなる。
【００６５】
実施例における第１段連結部材８ａの連結部８ａ３及び第１段大梁２０ａの連結領域の剛性と、比較例における第１段仕口梁９ａの先端部及び第１段大梁１０ａの先端部の連結領域の剛性とを比較すると、両者は同等となる。そのため、実施例のように、第１段連結部材８ａの連結部８ａ３の突出量を減少させた結果、第１避難タワー１における第１段連結部材８ａの連結部８ａ３と第２避難タワーにおける第１段大梁２０ａとの突き合わせ部が、第１避難タワー１の主柱材７の中心に接近した場合であっても、第１避難タワー１と第２避難タワーとの連結強度が維持可能となっている。
【符号の説明】
【００６６】
１，３１  第１避難タワー
２，３２  第２避難タワー
３，４  第１段踊り場
５，６  第２段踊り場
７，１９  主柱材
７ａ，１９ａ  基礎
８ａ  第１段連結部材
８ａ１  本体部
８ａ２  主柱材取付孔
８ａ３  連結部
８ｂ  第２段連結部材
８ｃ  第３段連結部材
８ｄ  第４段連結部材
１０ａ，２０ａ  第１段大梁
１０ｂ，２０ｂ  第２段大梁
１０ｃ，２０ｃ  第３段大梁
１０ｄ，２０ｄ  第４段大梁
１１，２１  小梁
１２  ブレース
１８  レール部材
２４ａ  連結用表側継手部材
３１  第１避難タワー
３２  第２避難タワー
３３  第３避難タワー
Ｔ  締結手段
【図１】
2015145572.tif 000003
【図２】
2015145572.tif 000004
【図３】
2015145572.tif 000005
【図４】
2015145572.tif 000006
【図５】
2015145572.tif 000007
【図６】
2015145572.tif 000008
【図７】
2015145572.tif 000009
【図８】
2015145572.tif 000010
【図９】
2015145572.tif 000011
【図１０】
2015145572.tif 000012
【図１１】
2015145572.tif 000013
【図１２】
2015145572.tif 000014